(57)【特許請求の範囲】
【請求項１】
底部に穴を有した容器と前記容器内部に振動可能に設置した振動網からなる細分機と、
給排水可能に水が溜められ前記細分機の下部を浸し、加熱され前記振動網で細分化されたアスファルトを投入し固化させる水槽と、
一端が前記水槽の内部でかつ前記穴の下方に位置し他端が前記水槽外に位置するベルトコンベアーと、
前記ベルトコンベアーを流れる固化アスファルトを乾燥させる送風乾燥機とからなることを特徴とする常温加熱アスファルトの製造装置。
【請求項２】
アスファルトプラントで造られたアスファルトをベルトコンベアーで前記細分機に投入することを特徴とする請求項１に記載の常温加熱アスファルトの製造装置。
【請求項３】
請求項１又は請求項２に記載の常温加熱アスファルトの製造装置で製造した常温加熱アスファルトであって、加熱することで熔解させ敷設できることを特徴とする常温加熱アスファルト。
【請求項４】
請求項１又は請求項２に記載の常温加熱アスファルトの製造装置を用いて、加熱することで熔解させ敷設できる常温加熱アスファルトを製造することを特徴とする常温加熱アスファルトの製造方法。
【発明の詳細な説明】
【技術分野】
【０００１】
本発明は、路面補修、マンホール等の擦り付け舗装及び狭い範囲で使用するアスファルト及びその製造装置に関する。
【背景技術】
【０００２】
従来、アスファルトを敷設する場合、高温を維持した状態で加熱合材を舗装場所に運び、締め固めていた。
【０００３】
また、既にアスファルトを敷設した後に経年劣化等により路面に穴が空いた場合や、マンホールの周面を擦り付け舗装する場合等の狭い範囲には常温合材を使用していた。
【０００４】
しかしながら、路面補修やマンホールの擦り付け舗装をする場合に使用する常温合材は、加熱合材に比べて耐久性が悪く、敷設してもすぐに散乱してしまうため、再度補修を行わなければならず、補修効果が低いものであった。
【０００５】
また、加熱合材は一般的に５００ｋｇ以上で販売されるため、路面の補修やマンホールの擦り付け舗装等の狭い範囲の舗装では大量の残材が出てしまい、これらの残材は費用を負担して処分しなければならず、耐久性は高いがコストがかかるという問題があった。
【０００６】
また、アスファルト試験によるコア採取の後の穴埋めでは、１０ｋｇ程度しか使用しないため、運搬時間や運送料、残材廃棄料の負担を避けて固まったアスファルトをガスバーナーであぶって加熱合材に戻し施工することがあるが、時間がかかる上にアスファルトの成分が燃えてしまい品質低下を招いていた。
【０００７】
また、従来の常温合材よりも耐久性を向上させた様々な補集合材が販売されているが、やはり加熱合材に比べると耐久性は低く、短期間のうちに散乱してしまい、再度補修を行わなければならないという問題は残っていた。
【先行技術文献】
【特許文献】
【０００８】
【特許文献１】特開平０１−２５０５０５号公報
【発明の概要】
【発明が解決しようとする課題】
【０００９】
そこで、本発明は、耐久性が高く、少量販売、少量使用が可能であるアスファルト及びその製造装置を提供する。
【課題を解決するための手段】
【００１０】
本発明は、上記の課題を解決するために、加熱されたアスファルトを細分化しながら水中に投入し、固化させ、乾燥してなる常温加熱アスファルトであって、敷設地に置き、加熱することで熔解させ敷設できることを特徴とする常温加熱アスファルトの構成とした。
【００１１】
また、加熱されたアスファルトを細分化しながら水中に投入し、固化させ、乾燥することを特徴とする常温加熱アスファルトの製造方法の構成とした。
【００１２】
また、給排水可能に水が溜められ加熱細分化されたアスファルトを投入し固化させる水槽と、底部に穴を有し前記水槽の水に下部を浸漬させた容器と前記容器内部に振動可能に設置した振動網からなる細分機と、一端が前記水槽の内部でかつ前記穴の下方に位置し他端が前記水槽外に位置するベルトコンベアーと、前記ベルトコンベア−を流れる固化アスファルト乾燥させる送風乾燥機とからなることを特徴とする常温加熱アスファルトの製造装置の構成とした。
【００１３】
更に、前記アスファルトを、加熱保温可能なアスファルトプラントからベルトコンベアーで前記細分機に投入することを特徴とする常温加熱アスファルトの製造装置の構成とした。
【発明の効果】
【００１４】
本発明は上記のような構成であるため、骨材や細骨材が分離しており、ガスバーナーによる再加熱を短時間で行うことができ、品質が低下せず、耐久性が高く、短期間における散乱の心配がない。
【００１５】
また、２５ｋｇ程度の少量販売及び使用量を調節できるため、補修部分やマンホールの擦り付け舗装、通路舗装等の狭い範囲に耐久性の高い舗装をすることができ、残材を発生させることもなく経済的である。
【００１６】
また、加熱合材と同様に、タックコート、プライムコート、シールコート等を行うことができるため耐久性、耐摩耗性に優れている。更に、アスファルトプラントのない、小さな島や離島などに、常温加熱アスファルトを搬送し、大型のドラム式加熱機を使用し、加熱を行いダンプトラックにて運搬し、アスファルトフィニッシャーにて敷き均しを行い、道路舗装、駐車場舗装など様々な用途に使用することができる。
【図面の簡単な説明】
【００１７】
【図１】本発明であるアスファルト製造装置の全体図である。
【図２】本発明であるアスファルト製造装置の全体図である。
【図３】本発明であるアスファルトを使用した施工工程を示した図である。
【図４】本発明であるアスファルトを使用した施工工程を示した図である。
【発明を実施するための形態】
【００１８】
以下、添付の図面を参照し、本発明の実施の形態について詳細に説明する。
【実施例１】
【００１９】
図１及び図２は本発明であるアスファルト製造装置の全体図である。
【００２０】
図１及び図２に示すように、本発明である常温加熱アスファルトは、加熱されたアスファルトを細分化しながら水中に投入して固化させた後に乾燥させたアスファルトである。
【００２１】
常温加熱アスファルト生成機１は、給排水可能に水が溜められ加熱細分化されたアスファルトを投入し固化させる水槽２と、底部に穴を有し前記水槽２の水２ｇに下部を浸漬させた容器２ｈと前記容器２ｈ内部に振動可能に設置した振動網２ｄからなる細分機２ａと、一端が前記水槽２の内部でかつ前記穴の下方に位置し他端が前記水槽２外に位置するベルトコンベアーと、前記ベルトコンベアーを流れる固化アスファルトを乾燥させる送風乾燥機とからなる。
【００２２】
前記水槽２は、給水口２ｅと排水口２ｆを備えており、前記給水口２ｅから水槽２内に冷水を給水し、温まった水を前記排水口２ｆから排出する。
【００２３】
前記細分機２ａは、下部が漏斗状に狭くなり、その先端に穴を設けた容器２ｈと、前記容器２ｈ内の全面に渡って取り付けた振動網２ｄからなる。前記振動網２ｄは容器２ｈ内で振動するように振動装置２ｃが取り付けられている。
【００２４】
前記容器２ｈの穴の下にはベルトコンベア２ｂの一端が位置しており、前記ベルトコンベアー２ｂの他端は前記水槽２の外部に位置している。
【００２５】
また、前記ベルトコンベアー２ｂは、容器２ｈの下側の一端から、水槽２の外部に位置する他端に向かって上方に傾斜して設置されており、前記他端側は水上に位置している。
【００２６】
更に、前記ベルトコンベアー２ｂの他端側の上部には送風乾燥機３ａが設置されており、振動網２ｄにより細分化され水中で固化し前記ベルトコンベアー２ｂにより水上に運ばれた常温加熱アスファルト５ａを常温乾燥する。
【００２７】
常温乾燥された常温加熱アスファルト５ａは、前記ベルトコンベアーから袋詰計量器４に運ばれ、前記袋詰計量器４で計量され袋６詰めされる。
【００２８】
尚、図１及び図２では、送風乾燥機３ａのみでは常温加熱アスファルト５ａを十分に乾燥できない場合に、更に乾燥させるための第二送風乾燥機３ｂと乾燥しきっていない常温加熱アスファルト５ａが前記第二送風乾燥機３ｂの下を通過するための第二ベルトコンベア３ｃを備えた乾燥プラント３を示した。
【００２９】
この場合、前記ベルトコンベア（以下、第一ベルトコンベア）２ｂの他端は、前記乾燥プラント３内に位置しており、前記送風乾燥機（以下、第一送風乾燥機）３ａも前記乾燥プラント３内の第一ベルトコンベア２ｂ上に位置している。
【００３０】
従って、第一ベルトコンベア２ｂにより乾燥プラント３内に運ばれてきた常温加熱アスファルト５ａは、まず第一送風乾燥機３ａの風を受けて、ある程度乾燥され、次に第一ベルトコンベア２ｂの他端の下に一端が位置している第二ベルトコンベア３ｃに自動的に乗り換えて第二送風乾燥機３ｂの風を受けて十分に常温乾燥され前記袋詰計量器４に投入される。
【００３１】
尚、図１では、前記常温加熱アスファルト生成機１をアスファルトプラント７とベルトコンベア７ａで接続し、アスファルトプラント７で造られたアスファルト５をベルトコンベア７ａに載せて、ベルトコンベア７ａから直接細分機２ａに投入し、常温加熱アスファルト５ａを製造する場合の全体図を示している。
【００３２】
また、図２では、前記アスファルトプラント７からトラック８で運搬してきたアスファルト５を、ショベルカー９等で前記細分機２ａに投入し、常温加熱アスファルト５ａを製造する場合の全体図を示している。但し、前記ショベルカー９等は必須ではなく、アスファルト５を前記トラック８から直接細分機２ａに投入しても構わない。
【００３３】
図３は本発明であるアスファルトを使用した施工工程を示した図である。
【００３４】
図３に示すように、道路１３にできた穴１３ａを埋める場合、まず、使用する常温加熱アスファルト５ａを加熱器１０に備えた鉄板１０ａで敷設温度１２０℃前後まで攪拌しながら均等加熱する。
【００３５】
そして、敷設温度まで熱を加えた常温加熱アスファルト５ａを前記穴１３ａにつめて転圧機１２で転圧して固める。尚、このとき、図３の中図のように、穴１３ａの容積よりも常温加熱アスファルト５ａの量を多めにすることが好適である。
【００３６】
前記常温加熱アスファルト５ａを敷設温度まで均等加熱する場合に、加熱器１０と鉄鍋１０ａを使用したが、特に限定したものではなく、常温加熱アスファルト５ａを一輪車１１ｂに載せて、一輪車内でガスバーナー１１により均等加熱してもよい。このとき、スコップ１１ａ等で攪拌しながら均等に加熱する。
【００３７】
図４は、本発明であるアスファルトを使用した別の施工工程を示した図である。
【００３８】
図４に示すように、加熱する前の常温加熱アスファルト５ａを穴１３ａの半分程度まで入れ、穴１３ａ内で攪拌しながら敷設温度である１２０℃前後まで均等加熱する。
【００３９】
次に、加熱していない常温加熱アスファルト５ａを穴１３ａが埋まるまで加え、前述の加熱済みの常温加熱アスファルト５ａと共に攪拌しながら敷設温度の１２０℃前後まで均等加熱する。
【００４０】
更に、加熱していない常温加熱アスファルト５ａを穴１３ａから溢れるように加え、前述の加熱済みの常温加熱アスファルト５ａと共に攪拌しながら敷設温度の１２０℃前後まで均等加熱し、転圧機１２で転圧して固める。
【００４１】
尚、図示していないが、本発明の常温加熱アスファルト５ａでは、車道に比べて範囲が狭く使用するアスファルト合材量が少ない通路やガーデニング用歩道などでも使用することができる。
【００４２】
この場合、通路（歩道）の全長を複数分割し、まず最初の分割部分に図４に示した方法で常温加熱アスファルト５ａを敷設する。このとき、隣の分割部分に隣接する部分の転圧は避けておき、残りの部分を転圧して固める。
【００４３】
次に、固めた分割部分の隣の分割部分に図４に示した方法で常温加熱アスファルト５ａを敷設する。このとき、転圧を避けていた部分の常温加熱アスファルト５ａと共に攪拌及び均等加熱しながら敷設し、分割部分同士の継ぎ目を消し、転圧して固める。
【００４４】
以上の作業を繰り返すことで継ぎ目のない通路（歩道）とすることができる。
【００４５】
最後に、細粒度アスコンを、本発明の方法で常温加熱アスファルト５ａに加工し、使用した場合、固めた後の密度がおよそ２．３ｇ／ｃｍ３、アスファルト量がおよそ６．２４％となった。これは、通常の細粒度アスコンで敷設した場合の密度２．３３２ｇ／ｃｍ３及びアスファルト量６．３％と非常に近く、本発明の方法で加工した細粒度アスコンの常温加熱アスファルト５ａの性能が既存の細粒度アスコン並であることがわかる。
【００４６】
また、敷設の際に、加熱合材と同じようにタックコートやプライムコートを行うことや、締め固めの際にシールコートを行うことができるため、耐久性、耐摩耗性にも優れている。
【００４７】
従って、道路の穴を本発明の常温加熱アスファルト５ａで補修すれば、以前のように短時間で同じ場所に穴が空くようなことはなく、また、マンホール等の周面の擦り付け舗装もしっかりと行うことができる。
【００４８】
また、本発明の常温加熱アスファルトの製造方法は、密粒度アスコン（１３）や改質密粒度アスコン（２０）等の様々な既存アスファルトを常温加熱アスファルトに加工することができるため、一般的に５００ｋｇ以上で販売されているアスファルトについても少量販売、少量使用が可能となる。
【産業上の利用可能性】
【００４９】
本発明である常温加熱アスファルトは、少量販売、少量使用することができ、性能も加熱合材並であるため、道路補修後の再補修までの時間が飛躍的に伸び、補修回数を減らすことができ、更に、狭い通路や歩道にも加熱合材並のアスファルト敷設をすることができるため、様々な領域に多大な貢献をもたらす。
【符号の説明】
【００５０】
１      常温加熱アスファルト生成機
２      水槽
２ａ    細分機
２ｂ    第一ベルトコンベア
２ｃ    振動装置
２ｄ    振動網
２ｅ    吸水口
２ｆ    排水口
２ｇ    水
２ｈ    容器
３      乾燥プラント
３ａ    第一送風乾燥機
３ｂ    第二送風乾燥機
３ｃ    第二ベルトコンベア
４      袋詰計量器
４ａ    計量器
５      アスファルト
５ａ    常温加熱アスファルト
６      袋
７      アスファルトプラント
７ａ    ベルトコンベア
８      トラック
９      ショベルカー
１０    加熱器
１０ａ  鉄鍋
１１    ガスバーナー
１１ａ  スコップ
１１ｂ  一輪車
１２    転圧機
１３    道路
１３ａ  穴
【要約】 
【課題】本発明は、耐久性が高く、少量販売、少量使用が可能であるアスファルト及びその製造装置を提供する。
【解決手段】本発明は、加熱されたアスファルトを細分化しながら水中に投入し、固化させ、乾燥してなる常温加熱アスファルトであって、敷設地に置き、加熱することで熔解させ敷設できることを特徴とする常温加熱アスファルトと、
給排水可能に水が溜められ加熱細分化されたアスファルトを投入し固化させる水槽と、底部に穴を有し前記水槽の水に下部を浸漬させた容器と前記容器内部に振動可能に設置した振動網からなる細分機と、一端が前記水槽の内部でかつ前記穴の下方に位置し他端が前記水槽外に位置するベルトコンベアーと、前記ベルトコンベア−を流れる固化アスファルト乾燥させる送風乾燥機と、からなることを特徴とする常温加熱アスファルトの製造装置の構成とした。
【選択図】  図１【図１】
0004817085.tif 000002
【図２】
0004817085.tif 000003
【図３】
0004817085.tif 000004
【図４】
0004817085.tif 000005